(57)【要約】  隣接する上位及び下位の椎骨の椎間関節の間に挿入される椎間関節の干渉ねじ（１０）であって、雄ねじ軸部分と頭部とを具備している。椎間関節の干渉ねじは、好ましくは、第１の構成要素（２０）と第２の構成要素（３０）との間に割り込み、それぞれ外側に半円形の雄ねじ表面（２２，３２）を具備し、一緒に結合されたとき、半円形の雄ねじ表面は、雄ねじ軸部分を形成する。第１及び第２の構成要素における内面（２４，３４）は、屈曲した接触面を具備し、挿入されたとき、第１の構成要素は、第２の構成要素に対して可動になっている。変形例としては、ねじは緩衝要素（６０ａ’）を、第１及び第２の構成要素における内面の間に具備し、第１及び第２の構成要素の互いに対する緩衝を促進する。緩衝要素は、好ましくは、第１及び第２の構成要素の関節動作をも容易にする。
2011514208.tif 000002
【特許請求の範囲】
【請求項１】
椎間関節の干渉ねじであって、上位椎骨における下位椎間関節突起と、下位椎骨における上位椎間関節突起との間の椎間関節に挿入され、この椎間関節の干渉ねじが、
第１の構成要素であって、第１の外側の半円形である、ねじ付き表面と、第１の内面とを具備している、上記第１の構成要素と、
第２の構成要素であって、第２の外側の半円形である、ねじ付き表面と、第２の内面とを具備し、第１及び第２の構成要素は、頭部部分と、先端部と、頭部部分と先端部との間に延びる長手軸線と、組み立てられた形態において雄ねじ軸部分とを形成し、第１及び第２の内面は、組み立てられた形態において、頭部部分から先端部へ延び、第１及び第２の表面は、組み立てられた形態において、実質的に接触している、上記第２の構成要素と、
を備えていることを特徴とするねじ。
【請求項２】
第１及び第２の内面は、一般的に、椎間関節の干渉ねじの関節平面に対して、平行になっていることを特徴とする請求項１に記載のねじ。
【請求項３】
椎間関節の干渉ねじにおける第１及び第２の構成要素の内面が屈曲していることを特徴とする請求項１に記載のねじ。
【請求項４】
前記ねじが、さらに、
第１及び第２の構成要素における内面の間に配置された緩衝要素、
を備えていることを特徴とする請求項１に記載のねじ。
【請求項５】
第１及び第２の構成要素のうち少なくとも１つにおける内面が、案内機構を具備していることを特徴とする請求項４に記載のねじ。
【請求項６】
緩衝要素は、第１の構成要素の内面と内面とに接触する外面を有する上側緩衝要素と、第２の構成要素の内面と内面とに接触する外面を有する下側緩衝要素とを具備し、上側及び下側の緩衝要素における内面は屈曲して互いに接触し、上側緩衝要素は下側緩衝要素に対して関節動作可能になっていることを特徴とする請求項４に記載のねじ。
【請求項７】
屈曲した接触面は、球体形状であることを特徴とする請求項６に記載のねじ。
【請求項８】
緩衝要素は、第１及び第２の構成要素の輪郭と合致する輪郭を有していることを特徴とする請求項４に記載のねじ。
【請求項９】
前記ねじが、さらに
椎間関節の干渉ねじにおける関節平面に整列された頭部に設けられた指示具、
を備えていることを特徴とする請求項１に記載のねじ。
【請求項１０】
椎間関節の干渉ねじであって、上位椎骨に形成された下位椎間関節突起と、下位椎骨に形成された上位椎間関節突起との間の椎間関節に挿入され、この椎間関節の干渉ねじが、
第１の構成要素であって、雄ねじ付き表面と、第１の内面とを有している、上記第１の構成要素と、
第２の構成要素であって、雄ねじ付き表面と、第２の内面とを有し、第１及び第２の構成要素は、組み立てられたとき、頭部と、先端部と、軸部分とを形成する、上記第２の構成要素と、
緩衝要素であって、第１及び第２の構成要素の間に配置され、長手軸線に沿って概略延在し、緩衝要素は、第１及び第２の内面に対して接触している、上記緩衝要素と、
を備えていることを特徴とする椎間関節の干渉ねじ。
【請求項１１】
緩衝要素は、弾性的熱可塑性ポリマーから構成されていることを特徴とする請求項１０に記載の椎間関節の干渉ねじ。
【請求項１２】
緩衝要素は、第１及び第２の内面に接着剤で結合されていることを特徴とする請求項１０に記載の椎間関節の干渉ねじ。
【請求項１３】
椎間関節の干渉ねじが、さらに、
指示具であって、頭部に配置され、椎間関節の干渉ねじの関節平面の向きを確認するために使用され、関節平面は、緩衝要素を貫通している、上記指示具、
を備えていることを特徴とする請求項１０に記載の椎間関節の干渉ねじ。
【請求項１４】
緩衝要素は、頭部から先端部へ延びるカニューレ開口部を具備し、長手軸線に対して概略同軸的になっていることを特徴とする請求項１０に記載の椎間関節の干渉ねじ。
【請求項１５】
第１の椎間関節の干渉ねじと第２の椎間関節の干渉ねじとを挿入する方法であって、それぞれが、雄ねじ表面と第１の内面とを有する第１の構成要素と、雄ねじ表面と第２の内面とを有する第２の構成要素とを具備し、この方法が、
（ａ）  第１及び第２の構成要素における第１及び第２の内面の間に、一時的スペーサを挿入する段階と、
（ｂ）  隣接する上位及び下位の椎骨の間の椎間関節の中に、少なくとも部分的にガイドワイヤを挿入する段階と、
（ｃ）  第１及び第２の干渉ねじをガイドワイヤで降ろすように案内する段階であって、第１及び第２の干渉ねじにおける先端部が椎間関節に隣接して配置される上記段階と、
（ｄ）  第１及び第２の椎間関節の干渉ねじを、同時に、それぞれの椎間関節に、椎間関節の骨に頭部が接触するまで、ねじ込む段階と、
（ｄ）  ガイドワイヤを取り外す段階であって、これにより、第１及び第２の構成要素における第１及び第２の内面の間から、ガイドワイヤを接触させて一時的スペーサを取り外す上記段階と、
を備えていることを特徴とする方法。
【請求項１６】
前記方法が、さらに、
（ｅ）  段階（ｄ）の後に、第１及び第２の内面の間に緩衝要素を挿入する段階、
を備えていることを特徴とする請求項１５に記載の方法。
【請求項１７】
前記方法が、さらに、
（ｅ）  椎間関節における椎間関節平面に対して、第１及び第２の干渉ねじの頭部に指示具を整列させる段階、
を備えていることを特徴とする請求項１５に記載の方法。
【発明の詳細な説明】
【技術分野】
【０００１】
本願は、２００８年３月６日に出願された、発明の名称を「椎間関節の干渉ねじ("FACET INTERFERENCE SCREW")」とする、米国仮特許出願第６１／０３４，２９５号を基礎とする優先権を主張し、同出願の内容をここで参照によって完全に引用する。
【背景技術】
【０００２】
椎間関節は、脊椎可動部分における関節であって、高齢化、外傷、定型的使用、及びその他の要因に従って劣化する。脊柱の様々な領域における椎間関節は、異なる平面に向いており、例えば、腰部椎間関節は、一般的に、正中面Ｓｐを向いており、胸部椎間関節は、一般的に、冠状面Ｃｐを向いており、頚部椎間関節は、一般的に、軸線又は横断平面Ａｐを向いている（図１及び図２）。これらの向きは、脊柱のそれぞれの領域において、異なるタイプの運動を容易にする。
【０００３】
変形した椎間関節は、しばしば、疼痛を伴い、例えば、滑液嚢を取り囲む２つの関節の咬合面の間の摩耗の結果によって生じる。椎間関節の表面は、関節軟骨によって被覆されている。椎間関節の軟骨性の表面が退化又は亀裂を生じると、炎症反応が生じ、それにより骨と骨との直接接触につながり、結果的に痛みが生じる。周囲の関節嚢の破壊もまた、患者に疼痛を引き起こす。患者は、代表的に、この疼痛を緩和するために、癒合手術を受ける。
【発明の概要】
【発明が解決しようとする課題】
【０００４】
椎間関節の直接癒合の結果によるものではない、椎間関節の変性から生じる疼痛を緩和するために、隣接する上位及び下位の椎骨の間において、椎間関節の中に挿入するためのインプラントを開発することが望ましい。
【課題を解決するための手段】
【０００５】
本発明は、脊柱のインプラントに関する。より詳しくは、本発明による好ましい実施形態は、隣接する上位及び下位の椎骨における椎間関節の間に挿入するための椎間関節の干渉ねじに関する。椎間関節の干渉ねじは、好ましくは、頭部部分と雄ねじ軸部分とを具備しており、椎間関節の干渉ねじは、例えば、ねじ回し又はねじ回し状の器具などの挿入器具を介して、椎間関節に、回転挿入又はねじ込まれることができる。椎間関節の干渉ねじは、好ましくは、第１及び第２の構成要素を具備し、それぞれの第１及び第２の構成要素は、外側の半円形の雄ねじ表面と内面とを具備し、一緒に結合されると、半円形の雄ねじ表面は、雄ねじ軸部分を形成する。
【０００６】
好ましい実施形態においては、第１及び第２の構成要素における内面は、屈曲した接触面を具備している。屈曲した接触面によれば、好ましくは、長手軸線に沿い、長手軸線に対して横方向に限られた運動である弓形運動を、第１及び第２の構成要素の間に許容する。
【０００７】
他の好ましい実施形態による椎間関節の干渉ねじにおいては、第１及び第２の構成要素の内面の間に緩衝要素が挿入され、第１及び第２の構成要素の互いに対する緩衝を助長する。緩衝要素は、２部品の緩衝要素の形態であり、第１の構成要素の内面と内面とに接触するための外面を有してなる上側緩衝要素を具備している。また、緩衝要素は、第２の構成要素の内面と内面とに接触するための外面を有してなる下側緩衝要素を具備している。上側及び下側の緩衝要素における内面はそれぞれ、屈曲した接触面を具備し、上側緩衝要素は、下側緩衝要素に対して関節動作可能になっている。上側緩衝要素は、好ましくは、第１の構成要素に固定され、下側緩衝要素は、好ましくは、第２の構成要素に結合されて、椎間関節の干渉ねじにおける関節動作の大部分は、上側及び下側の緩衝要素の屈曲した接触面にて、上側緩衝要素と下側緩衝要素との間にある。
【０００８】
本発明はまた、好ましい椎間関節の干渉ねじを、隣接する上位及び下位の椎骨の椎間関節の間に挿入するための方法に関する。
【０００９】
上述した要旨並びに本願の好ましい実施形態についての以下の詳細な説明は、添付図面と関連させて読むことでより良く理解されるだろう。好ましい椎間関節の干渉ねじ及び本願の椎間関節の干渉ねじを挿入するための外科的方法を例証する目的のために、図面には好ましい実施形態を示している。しかしながら、本願は、図示された正確な構成及び手段に制限されないことを理解されたい。
【図面の簡単な説明】
【００１０】
【図１Ａ】患者の脊柱における腰部部分の取付位置において椎間関節に取り付けられた２つの椎間関節の干渉ねじを示した後部斜視図であって、本発明の後述する好ましい実施形態に従ったものである。
【図１Ｂ】図１Ａの取付位置における椎間関節の干渉ねじを示した側部斜視図である。
【図２Ａ】本発明の第１の好ましい実施形態に従った、椎間関節の干渉ねじを示した側部斜視図である。
【図２Ｂ】図２Ａの椎間関節の干渉ねじを分解して示した側部斜視図である。
【図２Ｃ】図２Ａの椎間関節の干渉ねじを、一時的スペーサと共に示した側部斜視図である。
【図３Ａ】本発明の第２の好ましい実施形態に従った、椎間関節の干渉ねじを示した上部斜視図である。
【図３Ｂ】図３Ａの椎間関節の干渉ねじに関連して使用される緩衝要素を示した上部斜視図であって、緩衝要素は、カニューレ開口部を貫通して具備している。
【図３Ｃ】図３Ａの椎間関節の干渉ねじに関連して使用される他の緩衝要素を示した上部斜視図であって、緩衝要素は、略中実で連続したものである。
【図３Ｄ】図３Ａの椎間関節の干渉ねじに関連して使用されるさらに他の変形例による緩衝要素を示した上部斜視図であって、緩衝要素は、Ｔ字形のチャネルを具備し、これは、図３Ａの椎間関節の干渉ねじにおける第１の構成要素及び第２の構成要素の片方又は双方に形成された溝部に係合するものである。
【図４Ａ】本発明の第３の好ましい実施形態に従った、椎間関節の干渉ねじを示した側部斜視図である。
【図４Ｂ】図４Ａの椎間関節の干渉ねじに関連して使用される、例示的な２部品の関節構成要素を示した側部斜視図である。
【図５Ａ】図４Ａの線５−５に沿って示した椎間関節の干渉ねじの横断面図であって、椎間関節の干渉ねじを中立位置において示している。
【図５Ｂ】図４Ａの線５−５に沿って示した椎間関節の干渉ねじの横断面図であって、椎間関節の干渉ねじを屈曲を受けた状態において示している。
【図５Ｃ】図４Ａの線５−５に沿って示した椎間関節の干渉ねじの横断面図であって、椎間関節の干渉ねじを延長された状態において示している。
【図６Ａ】図４Ａの椎間関節の干渉ねじを示した後部立面図であって、椎間関節の干渉ねじは中立位置において示している。
【図６Ｂ】図４Ａの椎間関節の干渉ねじを示した後部立面図であって、椎間関節の干渉ねじは、横方向に屈曲を受けている。
【図７Ａ】第１、第２、及び第３の好ましい実施形態における上述した椎間関節の干渉ねじの１つを示した後部斜視図であって、好ましい抗回転機構を具備している。
【図７Ｂ】第１、第２、及び第３の好ましい実施形態における上述した椎間関節の干渉ねじの１つを示した後部斜視図であって、変形例による好ましい抗回転機構を具備している。
【図８】第１、第２、及び第３の好ましい実施形態における少なくとも１つに従った、２つの椎間関節の干渉ねじを示した後部斜視図であって、本発明による好ましい方法に従って、患者の脊柱の椎間関節に同時に挿入されている。
【図９Ａ】図４Ａの椎間関節の干渉ねじを示した上部斜視図であって、好ましいねじ回しに取り付けられ、仮想線にて示す、ねじ回しの好ましいスリーブが延びた位置にある。
【図９Ｂ】図４Ａの椎間関節の干渉ねじを示した上部斜視図であって、図９Ａの円９Ｂの中を示している。
【図９Ｃ】図４Ａの椎間関節の干渉ねじを示した側部斜視図であって、引っ込められた位置にあるスリーブを備えたねじ回しに取り付けられている。
【図９Ｄ】図４Ａの椎間関節の干渉ねじを拡大して示した上部斜視図であって、一層引っ込められた位置にあるスリーブを備えたねじ回しに取り付けられている。
【発明を実施するための形態】
【００１１】
ある種の用語は、以下の説明において、制限ではなく、便利さのためだけに使用される。用語“右”、“左”、“上部”、及び“底部”は、図面において参照がされている方向を指示する。用語“内方”及び“外方”は、椎間関節の干渉ねじ及びその指示された部品の幾何学的中心に向かう、及び遠のく方向をそれぞれ参照する。用語“前部”、“後部”、“上位”、“下位”、“横方向”、“正中”、“軸線”、“冠状”及び関連する単語及び／又はフレーズは、制限を意味せず、参照がなされている人体に対して好ましい配置又は向きを指示する。用語には、上に列挙した単語と共に、それらの派生語及び類義語が含まれる。
【００１２】
以下、本発明のある種の例示的な実施形態について図面を参照して説明する。本発明の好ましい実施形態は、（ｉ）第１、第２、及び第３の好ましい実施形態の椎間関節の干渉ねじ１０，１０’，１０”を隣接する上位及び下位の椎骨Ｖの椎間関節ＦＪの間に挿入すること、及び（ｉｉ）好ましい椎間関節の干渉ねじ１０，１０’，１０”を患者の脊柱における隣接する上位及び下位の椎骨Ｖの椎間関節ＦＪの間に挿入する外科的手順、に関する。本願における好ましい椎間関節の干渉ねじ１０，１０’，１０”は概して脊柱（例えば、腰部、胸部、又は頚部の領域）使用され、そのように説明されるけれども、当業者が理解するように、好ましい椎間関節の干渉ねじ１０，１０’，１０”並びにその構成要素は、身体の他の部分にも使用でき、それらには、例えば、膝、尻、肩、指、関節、長骨又は手の骨、顔、足が含まれ、さらに、例えば、中手骨、トラペコイダル（trapecoidal）、及び手の舟状関節、及び足の中足骨と趾節骨との結合部などが含まれることを認識されたい。
【００１３】
図１Ａ及び図１Ｂを参照すると、患者の脊柱の腰部領域における２つの例示的な椎骨Ｖが示されている。椎骨Ｖはそれぞれ、一対の上位関節面Ｆsと、一対の下位関節面Ｆiとを、棘突起ＳＰの両側に具備している。上位椎骨Ｖ上の下位関節Ｆiと、下位椎骨Ｖの上位関節Ｆsとは、関節嚢又は椎間関節空間ＦＪ1，ＦＪ2によって可動に相互結合され、運動部分の動きを案内及び制限する。図１Ａ及び図１Ｂに示した椎骨Ｖは、棘突起ＳＰの左側に配置された第１の椎間関節ＦＪ1と、棘突起ＳＰの右側に配置された第２の椎間関節ＦＪ2とを具備している。第１及び第２の椎間関節ＦＪ1，ＦＪ2は、それぞれ、第１及び第２の椎間関節平面ＦＪP1，ＦＪP2を具備しており、これらは、概略、腰部脊柱の主たる正中面Ｓｐに向けられている。
【００１４】
椎間関節ＦＪ1，ＦＪ2は、上位及び下位の椎骨Ｖの間における運動を案内して容易にする。脊柱Ｓの自然の又は外傷の変性の結果、椎間関節ＦＪ1，ＦＪ2は、影響を受ける。例えば、椎間関節ＦＪ1，ＦＪ2の軟骨表面が変性すると、炎症反応が引き起こされ、これは、上位椎骨Ｖに形成された下位椎間関節Ｆiと、下位椎骨Ｖに形成された上位椎間関節Ｆsとの間の直接的な接触につながり、椎間関節ＦＪ1，ＦＪ2に疼痛をもたらす。
【００１５】
椎間関節ＦＪ1，ＦＪ2を増強して、痛みのある領域の圧力を軽減することは、インプラントを挿入することで達成され、好ましくは、好ましい椎間関節の干渉ねじ１０，１０’，１０”を、上位椎骨Ｖに形成された下位椎間関節Ｆiと、下位椎骨Ｖに形成された上位椎間関節Ｆsとの間に挿入する。好ましい椎間関節の干渉ねじ１０，１０’，１０”によれば、椎間関節ＦＪ1，ＦＪ2を治療でき、可動性及び／又は安定性を温存しつつ、仮に追加的な内部固定がいつか必要な場合でも、茎を無傷に維持できる。椎間関節ＦＪ1，ＦＪ2の増強は、２つの好ましい椎間関節の干渉ねじ１０，１０’，１０”を挿入することで達成され、椎間関節ＦＪ1，ＦＪ2のそれぞれに１つずつ取り付けられる。加えて、好ましい椎間関節の干渉ねじ１０，１０’，１０”は、隣接する椎骨Ｖの間の椎間板空間の内部にスペーサを挿入し又は挿入せずに、挿入される。
【００１６】
図２Ａ及び図２Ｂを参照すると、第１の好ましい実施形態による椎間関節の干渉ねじ１０は、一般的に、骨ねじ１０の形状になっている。第１の好ましい実施形態による椎間関節の干渉ねじ１０は、頭部部分１４と、雄ねじ軸部分１６とを具備している。頭部部分１４は、好ましくは、ねじ回し２２５と係合するための機構を具備している。例えば、頭部部分１４は、好ましくは、複数の凹部４４を具備し、ねじ回し２２５（詳しくは後述する）の先端部２２８に形成された複数の突起部２２９と係合するようになっているけれども、他の構造も想定され、それらには、限定はしないが、内部の凹部、六角形の外側、星型ドライバパターン、フィリップスの頭部パターン、ねじ回しのためのスロット、対応するねじ付き支柱のためのねじ部などが含まれる。軸１６の特定の特徴には、例えば、ねじピッチや、自己ドリル構造、セルフタッピング構造、軸の直径、軸の形状などが含まれ、これらは交換可能であり、当業者には明らかなように、椎間関節の干渉ねじ１０は、何か特定のタイプの軸１６又はねじの構造に制限されない。
【００１７】
第１の好ましい実施形態による椎間関節の干渉ねじ又は骨ねじ１０は、椎間関節の干渉ねじ１０の長手軸線１３に沿って長手方向に分割されており、椎間関節の干渉ねじ１０は、第１の構成要素２０と、第２の構成要素３０とを有するようになっている。第１及び第２の構成要素２０，３０のそれぞれは、外側に、好ましくは、半円形の雄ねじ表面２２，３２を具備し、及び内面２４，３４を具備しており、一緒に結合されたとき、半円形の雄ねじ表面２２，３２が、雄ねじ軸部分１６を形成する。従って、使用に際しては、椎間関節の干渉ねじ１０は、好ましくは、上位椎骨Ｖに形成された下位椎間関節Ｆiと、下位椎骨Ｖに形成された上位椎間関節Ｆsとの間に挿入され、そのためには、詳しくは後述するように、例えば、ねじ回し２２５によって回転させる。第１の好ましい実施形態における内面２４，３４は、好ましくは、頭部部分１４から軸部分１６の先端部１６ａへと略連続して延通しており、関節平面ＲＰを形成し、概略これに沿って、第１及び第２の構成要素２０，３０が、取付位置において互いに動くが、これについては詳しくは後述する。内面２４，３４は、好ましくは、その実質的部分に沿って接触し、組み立てられた形態において、及び取り付けられた形態において、第１の構成要素２０を第２の構成要素３０に対する動きを案内する。
【００１８】
第１の好ましい実施形態における椎間関節の干渉ねじ１０の第１及び第２の構成要素２０，３０の内面２４，３４は、屈曲した接触面を具備し、例えば、凸面及び／又は凹面を有しており、それぞれの他の構成要素２０，３０の屈曲した接触面と相互作用して、挿入されたとき、第１の構成要素２０は、屈曲した又は弓形の経路に沿って、第２の構成要素３０に対して移動できる。すなわち、例えば、第１の構成要素２０の内面２４は、凸面を具備し、第２の構成要素３０の内面３４に形成された凹面に接触する。当業者には明らかであろうけれども、第２の構成要素３０の内面３４が凸面を有し、第１の構成要素２０の内面２４が凹面を有していても良い。変形例としては、両方の内面２４，３４が凹面又は凸面を有することもできる。内面２４，３４の凸面又は凹面の形状は、第１及び第２の構成要素の間の運動の弓形の経路をもたらし、これらは、好ましくは、取付位置において椎間関節ＦＪ1，ＦＪ2の１つに取り付けられ、当業者には明らかなように、椎間関節ＦＪ1，ＦＪ2の合致表面の天然の弓形形状を概略模倣する。
【００１９】
また、第１及び第２の構成要素２０，３０の内面２４，３４は、詳しくは後述するように、ガイドワイヤ２００（図８）を受け入れるためのカニューレ開口部４２を具備している。
【００２０】
図２Ｃを参照すると、第１の好ましい実施形態による椎間関節の干渉ねじ１０はまた、一時的スペーサ４０を具備し、少なくとも挿入形態において、第１及び第２の構成要素２０，３０の内面２４，３４の間に配置される。好ましくは、一時的スペーサ４０は、詳しくは後述するように、ガイドワイヤ２００（図８）を受け入れるためのカニューレ開口部４２を具備している。使用に際しては、一時的スペーサ４０は、挿入形態において、第１及び第２の構成要素２０，３０の内面２４，３４の間に挿入される。一時的スペーサ４０が取り付けられた椎間関節の干渉ねじ１０は、椎間関節の干渉ねじ１０の回転を介して、上位椎骨Ｖに形成された下位椎間関節Ｆiと、下位椎骨Ｖに形成された上位椎間関節Ｆsとの間に挿入される。いったん取付位置に配置されると、スペーサ４０は、好ましくは、取り外されて、内面２４，３４は、対面係合又は接触するように移動して、両者の間の動きを促進する。ガイドワイヤ２００は、その遠位端に大きい直径の部分２０２を具備し、椎間関節ＦＪ1，ＦＪ2からガイドワイヤ２００を取り外す際に、一時的スペーサ４０に係合して取り外される。このように、スペーサ４０は、第１の好ましい実施形態による椎間関節の干渉ねじ１０を、下位椎間関節Ｆiと上位椎間関節Ｆsとの間に、ガイドワイヤ２００の補助によって挿入することを容易にする。使用に際しては、スペーサ４０は、第１及び第２の構成要素２０，３０における内面２４，３４の間に表面接触するのを防止する。取付位置においては、スペーサ４０の取り外しは、好ましくは、屈曲した又は弓形の経路に沿って、屈曲した内面２４，３４が関節動作することで可能になる。加えて、第１の好ましい実施形態における椎間関節の干渉ねじ１０は、取付位置に位置決めされ、椎間関節の干渉ねじ１０の関節平面ＲＰは、椎間関節平面ＦＪp1，ＦＪp2のそれぞれに対して略平行であり、それぞれの椎間関節ＦＪ1，ＦＪ2の略垂直な関節動作又は運動の回復を助長する。
【００２１】
図３Ａ乃至図３Ｄを参照すると、第２の好ましい実施形態による椎間関節の干渉ねじ１０’は、第１の好ましい実施形態による椎間関節の干渉ねじ１０と類似しているけれども、相違点として、第２の好ましい実施形態による椎間関節の干渉ねじ１０’は、第１及び第２の構成要素２０’，３０’の内面（第２の好ましい実施形態においては図示していない）の間に配置された緩衝要素６０ａ’，６０ｂ’，６０ｃ’を具備し、第１及び第２の構成要素２０’，３０’の互いに対する緩衝及び／又は運動を容易にする。第２の好ましい実施形態による椎間関節の干渉ねじ１０’は、同様な要素を指示するのに対応する参照符号を使用し、プライムマーク（’）を付すことで、第２の好ましい実施形態による椎間関節の干渉ねじ１０’の要素を区別している。好ましい緩衝要素６０ａ’，６０ｂ’，６０ｃ’は、好ましくは、第１及び第２の構成要素２０’，３０’の互いに対する圧縮を促進する。加えて、好ましい緩衝要素６０ａ’，６０ｂ’，６０ｃ’は、第１及び第２の構成要素２０’，３０’の間に、横方向及び縦方向の動きを可能にする。緩衝要素６０ａ’，６０ｂ’，６０ｃ’は、好ましくは、比較的弾性のある材料から構成されており、第１及び第２の構成要素２０’，３０’の間に、６つの自由度の動きを許容する。例えば、緩衝要素６０ａ’，６０ｂ’，６０ｃ’は、ポリマー材料から構成され、椎間関節の干渉ねじ１０’が遭遇する代表的な荷重に耐えられるのに充分に強く、椎間関節ＦＪに取り付けられたとき、椎間関節ＦＪが永久的に移植された間に遭遇する環境に耐えることができる。
【００２２】
第２の好ましい実施形態における緩衝要素６０ａ’，６０ｂ’，６０ｃ’は、事前に組み立てられ、及び／又は、当業者に現在又は将来公知になるあらゆる機構によって第１の及び／又は第２の構成要素２０’，３０’に結合され、それらには、限定はしないが、接着剤、機械的結合などが含まれる。変形例としては、緩衝要素６０ａ’，６０ｂ’，６０ｃ’は、一時的スペーサと共に（図３Ａ乃至図３Ｄには不図示）又は一時的スペーサを用いずに、第１及び第２の構成要素２０’，３０’が取付位置における椎間関節ＦＪに挿入された後に、内面２４’，３４’の間に挿入される。すなわち、例えば、第２の好ましい実施形態による椎間関節の干渉ねじ１０’は、椎間関節ＦＪの中に挿入され、次に、第１及び第２の構成要素２０’，３０’は分割されて、両者の間に緩衝要素６０ａ’，６０ｂ’，６０ｃ’を受け入れる。
【００２３】
第２の好ましい実施形態においては、緩衝要素６０ａ’，６０ｂ’，６０ｃ’はいくつかの形態を有し、それらには、第１の好ましい緩衝要素６０ａ’であってカニューレ開口部４２’を具備するもの、第２の好ましい緩衝要素６０ｂ’であって概略中実で連続したもの、及び第３の好ましい緩衝要素６０ｃ’であって案内及びロック機構７０’を具備するもの、が含まれる。第１の好ましい緩衝要素６０ａ’は、椎間関節の干渉ねじ１０’の移植中に、ガイドワイヤ２００を収容するために、カニューレ開口部４２’を具備している。第１の好ましい緩衝要素６０ａ’は、好ましくは、椎間関節ＦＪに移植される前に、第１及び第２の構成要素２０’，３０’に永久的に接合される。第２の好ましい緩衝要素６０ｂ’は、カニューレ開口部４２’を有しない、概略中実な一体的形態を具備している。第２の好ましい緩衝要素６０ｂ’は、第１及び第２の構成要素２０’，３０’に永久的に接合又は結合されるか、又はスペーサ４０’（図３Ａ乃至図３Ｄには不図示）の初期の移植及び除去に続いて、第１及び第２の構成要素２０’，３０’の間に挿入される。第３の好ましい緩衝要素６０ｃ’は、好ましくは、案内及びロック機構７０’を具備し、第１及び第２の構成要素２０’，３０’の間に、緩衝要素６０ｃ’を挿入するのを容易にする。案内及びロック機構７０’は、現在又は将来公知になるあらゆる機構から構成することができ、それらには、限定はしないが、舌部と溝部のシステムが含まれる。例えば、第１及び第２の構成要素２０’，３０’のうち少なくとも一方の内面２４’，３４’は、溝部（図示せず）を具備し、緩衝要素６０’から延びた、Ｔ字形ロック機構７０’に嵌合する。加えて、第１及び第２の構成要素２０’，３０’と嵌合する、第１及び第２の好ましい緩衝要素６０ａ’，６０ｂ’の表面は、図示のような略平坦で連続したものに限られるものではなく、係合特徴を具備するか、又は第１及び第２の構成要素２０’，３０’の内面と係合及び嵌合を容易にするため、概略粗くされたものでも良い。例えば、第１、第２、及び／又は、第３の緩衝要素６０ａ’，６０ｂ’，６０ｃ’は、第１及び第２の構成要素２０’，３０’に射出成形され、第１及び第２の構成要素は、粗くされ、溝部をもち、スパイクをもち、又は別な方法で不均一にされた内面を有し、緩衝要素６０ａ’，６０ｂ’，６０ｃ’を第１及び第２の構成要素２０’，３０’に保持する助けとなる。
【００２４】
図４Ａ乃至図６Ｂを参照すると、第３の好ましい実施形態による椎間関節の干渉ねじ１０”は、２部品の緩衝要素６０”を具備しているけれども、３以上の部品にすることもまた想定される。第３の好ましい実施形態による椎間関節の干渉ねじ１０”は、同様な要素を指示するのに対応する参照符号を使用し、二重プライムマーク（”）を付すことで、第２の好ましい実施形態による椎間関節の干渉ねじ１０”の要素を区別している。２部品の緩衝要素６０”は、好ましくは、第１の構成要素２０”の内面２４”に取り付けられた上側緩衝要素６２”と、第２の構成要素３０”の内面３４”に取り付けられた下側緩衝要素６４”とを具備している。上側及び下側の緩衝要素６２”，６４”は、好ましくは、それぞれ、屈曲した接触面６２ａ”，６４ａ”を具備し、上側緩衝要素６２”は、下側緩衝要素６４”に対して可動であり、第１の構成要素２０”は、第２の構成要素３０”に対して可動になっている。より詳しくは、上側及び下側の緩衝要素６２”，６４”に形成された、屈曲した接触面６２ａ”，６４ａ”は、対応する球形面を長手方向（例えば、長手軸線１３”に対して平行）、及び横方向（例えば、長手軸線１３”に対して垂直）の両方に有している。このように、球形に屈曲した接触面６２ａ”，６４ａ”は、図５Ａ乃至図６Ｂに示すように、屈伸の関節動作と横方向の関節動作とを容易にする。また、内面２４”，３４”は、第３の好ましい実施形態における椎間関節の干渉ねじ１０”の移植を案内するためのガイドワイヤ２００を受け入れるべく、カニューレ開口部４２”を備えている。しかしながら、第３の好ましい実施形態による椎間関節の干渉ねじ１０”は、カニューレ開口部４２”を含むものに限られず、カニューレ開口部４２”無しに構成されても良く、上側及び下側の緩衝要素６２ａ”，６４ａ”は、組み立てた形態において、それらの実質的に球形に屈曲した接触面６２ａ”，６４ａ”の全体に沿って接触するものでも良い。
【００２５】
上側及び下側の緩衝要素６２”，６４”は、好ましくは、ポリマー材料から構成され、いくらかの弾性を提供するけれども、取付位置においての使用中に、屈曲した接触面６２ａ”，６４ａ”にて重大な摩耗に抵抗するには充分な堅固さをも有する。例えば、上側及び下側の緩衝要素６２”，６４”は、ポリエーテルエーテルケトン（ＰＥＥＫ）の材料から構成されるけれども、それに限られず、ほとんどあらゆる材料であって緩衝及び摩耗の能力を提供すると共に取付位置での通常の使用状態及び環境に耐えられるものから構成することができる。加えて、第１及び第２の構成要素２０”，３０”は、好ましくは、金属材料から構成され、例えば、チタン又は鋼などからなるけれども、それに限られず、ほとんどあらゆる生物学的適合性の材料であって第１及び第２の構成要素２０”，３０”の一般的形状を呈することができ、椎間関節の干渉ねじ１０”の通常の使用状態に耐えられるものから構成できる。
【００２６】
図７Ａ及び図７Ｂを参照すると、第１、第２、及び第３の好ましい実施形態における椎間関節の干渉ねじ１０，１０’，１０”はまた、抗回転機構又は特徴１００ａ，１００ｂを具備し、椎間関節の干渉ねじ１０，１０’，１０”が取付位置から抜け出るのを防止する。例えば、第１の抗回転機構１００ａは、スペーサ１００ａの形態であって、これは、第１及び第２の構成要素２０，３０の間に挿入され、椎間関節の干渉ねじ１０，１０’，１０”の輪郭が、取付位置において、もはや円形ではなく、従って、取付位置において、抜け出したり、回転する見込みが少ない。スペーサ１００ａは、好ましくは、緩衝タイプの材料から構成され、第１及び第２の構成要素２０，３０の間の限られた運動が許容される。より詳しくは、図７Ｂに示すように、第２の好ましい抗回転スペーサ１００ｂは、その長さにおける少なくとも１つの部分において、椎間関節の干渉ねじ１０，１０’，１０”の直径に比べて大きな幅を有し、それにより、さらに抜け出るのを防止する。抗回転機構１００ａ，１００ｂは、好ましい緩衝要素６０ａ’，６０ｂ’，６０ｃ’，６０”から分離及び区別されるか、又は一体的に形成される。変形例としては、椎間関節の干渉ねじ１０，１０’，１０”には、２００２年１１月１３日に出願された、発明の名称を"Articular Facet Interference Screw"とする、米国特許公開公報第２００６／００６４０９９号に開示されているような、Ｕ字形を有する抗回転機構を組み込んでも良く、同出願をここで参照によって完全に引用する。
【００２７】
図２Ａ、図３Ａ、図４Ａ、図５Ａ、図６Ａ、及び図７Ａを参照すると、好ましい実施形態による椎間関節の干渉ねじ１０，１０’，１０”は、好ましくは、ねじの直径Ｄとねじの長さＬとを有している。ねじの長さＬは、好ましくは、５〜２５mmであり、ねじの直径Ｄは、好ましくは、４〜１１mmである。椎間関節の干渉ねじ１０，１０’，１０”は、これらの寸法に制限されないけれども、好ましくは、椎間関節の干渉ねじ１０，１０’，１０”を椎間関節ＦＪに最小限の侵襲性で挿入することを許容するためには、これらの範囲の中に含まれ、先端部１６ａの延長部が椎間関節ＦＪに貫通するのを制限し、最小限の侵襲性の処置中の他の関連する考慮と併せて、椎間関節の干渉ねじ１０，１０’，１０”がカニューレ（図示せず）を通り抜けるのを許容する。加えて、好ましい実施形態による椎間関節の干渉ねじ１０，１０’，１０”は、好ましくは、頭部部分１４，１４’，１４”を具備し、挿入及び／又は除去のツールによって係合が促進され、椎間関節の干渉ねじ１０，１０’，１０”が椎間関節ＦＪに挿入される距離を防止する。
【００２８】
図６Ａ乃至図７Ｂを参照すると、好ましい実施形態による椎間関節の干渉ねじ１０，１０’，１０”は、頭部１４，１４”上に関節指示具５０，５０”を具備し、椎間関節の干渉ねじ１０，１０’，１０”の関節平面Ｒｐと整列している。関節指示具５０，５０”は、外科医に視覚的な指示を提供し、椎間関節の干渉ねじ１０，１０’，１０”における関節平面Ｒｐが、取付位置において、椎間関節平面ＦＪp1，ＦＪp2と整列されていることを確認する。関節平面Ｒｐの整列ミス又は配向ミスは、代表的に、椎間関節の干渉ねじ１０，１０’，１０”がその意図した方法にて動作するように制限し、椎間関節ＦＪの融合をもたらす。変形例としては、外科医は、椎間関節の干渉ねじ１０，１０’，１０”を挿入することを決定し、関節平面Ｒｐが椎間関節平面ＦＪp1，ＦＪp2に対して整列ミスを有し、融合が意図的に椎間関節ＦＪにおいて促進されるようにする。さらに、関節指示具５０，５０”は、屈曲し又はさもなくば内面２４，３４が屈曲していることの指示を提供し、屈曲した関節経路を創り出し、外科医は、関節平面Ｒｐを天然に屈曲した椎間関節ＦＪの関節に配置することができる。
【００２９】
使用に際しては、好ましい実施形態による椎間関節の干渉ねじ１０，１０’，１０”は、セルフタッピング及び／又は自己ドリル構造になっている。第１及び第２の構成要素２０，３０は、好ましくは、事前に組み立てられ、単独にて又は好ましい一時的スペーサ４０及び／又は緩衝要素６０ａ’，６０ｂ’，６０ｃ’，６０”と結合され、そのためには、例えば、ねじの頭部１４における堅固な結合が用いられ、使用に際しては、椎間関節の干渉ねじ１０，１０’，１０”は、図８に示すように、ねじ回し２２５を介して、椎間関節の干渉ねじ１０，１０’，１０”を回転させることで、椎間関節ＦＪに挿入できる。好ましくは、椎間関節の干渉ねじ１０，１０’，１０”における関節平面Ｒｐは、取付位置において、椎間関節平面ＦＪp1，ＦＪp2に対して整列され、取り付けられた椎間関節の干渉ねじ１０，１０’，１０”に対して椎間関節ＦＪの関節動作を許容する。変形例としては、関節平面Ｒｐは、意図的に、椎間関節平面ＦＪp1，ＦＪp2に対して整列ミスをさせて、融合を促進し又は椎間関節ＦＪの動きを制限しても良い。
【００３０】
図９Ａ乃至図９Ｄを参照すると、好ましいねじ回し２２５は、椎間関節の干渉ねじ１０，１０’，１０”を椎間関節ＦＪの中に挿入し、移植し、及び／又は、ねじ込み、第１及び第２の構成要素２０，３０を固定する機構を具備し、及び任意の追加的な構成部品を一緒に備え、挿入中に適切なトルクを維持する。好ましいねじ回し２２５は、軸２２７とスリーブ２３０とを具備している。軸２２７は、好ましくは、椎間関節の干渉ねじ１０，１０’，１０”の第１及び第２の構成要素２０，３０と同時に係合するために、先端部２２８を具備している。先端部２２８は、好ましくは、複数の突起部２２９を具備し、椎間関節の干渉ねじ１０，１０’，１０”の頭部部分１４に形成された複数の凹部４４と係合する。スリーブ２３０は、好ましくは、延長位置（図９Ａ及び図９Ｂにおいて仮想線にて示される）から軸２２７にかぶせて可動に配置され、スリーブ２３０は、ねじ回し２２５の遠位端に結合された椎間関節の干渉ねじ１０，１０’，１０”を包被して、引っ込んだ位置にしており（図９Ｃに示される）、ねじ回し２２５の遠位端に結合された椎間関節の干渉ねじ１０，１０’，１０”が露出する。スリーブ２３０は、好ましくは、例えば、ばね２３５によって延長位置へと付勢されている。
【００３１】
また、ねじ回し２２５は、好ましくは、ねじ回し２２５のハンドルの近位端に指示具２２５ａを具備しており、椎間関節の干渉ねじ１０，１０’，１０”の関節平面Ｒｐの指示を提供する。椎間関節の干渉ねじ１０，１０’，１０”は、好ましくは、ねじ回し２２５に単一の向きにて取り付け可能になっており、指示具２２５ａは、椎間関節の干渉ねじ１０，１０’，１０”の関節平面Ｒｐに整列される。従って、外科医は、取付位置において、関節平面Ｒｐの向きを確認することができ、椎間関節平面ＦＪp1，ＦＪp2に整列させて、関節動作を促進し又は整列ミスで融合を促進するが、これについては本願の開示を検討することで、当業者には明らかである。
【００３２】
使用に際しては、ユーザは、好ましくは、スリーブ２３０を動かして引っ込んだ位置とし、椎間関節の干渉ねじ１０，１０’，１０”は、ねじ回し２２５の遠位端に結合される。スリーブ２３０は、ばねの付勢によって延長位置へと移動し、椎間関節の干渉ねじ１０，１０’，１０”がスリーブ２３０によって包被されるようにする。延長位置においては、スリーブ２３０は、椎間関節の干渉ねじ１０，１０’，１０”の第１及び第２の構成要素２０，３０を一緒に維持するのを助けて、椎間関節の干渉ねじ１０，１０’，１０”の複数の構成要素は、単一のユニットとして椎間関節ＦＪの中へ回転できるようになっている。挿入中には、スリーブ２３０の遠位端と、患者の骨との間の接触が、スリーブ２３０を延長位置から引っ込んだ位置へと動かして、椎間関節の干渉ねじ１０，１０’，１０”を露出させる。椎間関節の干渉ねじ１０，１０’，１０”は、椎間関節ＦＪにねじ込まれ、ついには、頭部１４が椎間関節ＦＪの骨に接触し、外科医は、好ましくは、指示具２２５ａを椎間関節平面ＦＪp1，ＦＪp2に整列させる。
【００３３】
椎間関節の干渉ねじ１０，１０’，１０”の椎間関節ＦＪへの主たる固定は、椎間関節の干渉ねじ１０，１０’，１０”の軸部分の雄ねじが上位及び下位の椎間関節Ｆs，Ｆiに係合することで達成される。二次的な固定は、骨の一体化によって達成される。例えば、椎間関節の干渉ねじ１０，１０’，１０”には、特に、椎間関節の干渉ねじ１０，１０’，１０”の軸部分１６に形成された雄ねじには、粗面化及び／又はコーティングが骨の伝達のために施される。椎間関節の干渉ねじ１０，１０’，１０”は、現在又は将来公知になる任意の生体活性型のコーティングを施すことができ、それらには、限定はしないが、Ｔｉプラズマスプレー、陽極表面処理、例えば、ＡＰＣ、ＨＡ、又は任意のＣａ−Ｐ処理などが含まれる。
【００３４】
好ましい椎間関節の干渉ねじ１０，１０’，１０”及び抗回転機構１００，１００’は、当業者に公知のあらゆる生物学的適合性の材料から製造され、それらには、限定はしないが、ステンレス鋼、チタン、チタン合金、ポリマー、例えば、ＰＰＥＫ、ＰＥＫＫ、ＰＥＫ、ＰＥＫＫ−ＥＫであって光炭素繊維強化を備える又は備えないものなど、超高分子重量ポリエチレン（ＵＨＭＷＰＥ）、コバルトクロミウムモリブデン（ＣＣＭ）などが含まれる。
【００３５】
緩衝要素６０ａ’，６０ｂ’，６０ｃ’，６０”は、当業者に公知のあらゆる生物学的適合性の材料から製造され、それらには、限定はしないが、エラストマー熱可塑性ポリマー（ＰＣＵ又はポリマー化シリコーン）、ＰＵＲ又はシリコーン族のメンバー、コポリマーなどが含まれる。好ましくは、緩衝要素６０ａ’，６０ｂ’，６０ｃ’，６０”が有する輪郭（例えば、サイズ及び形状）は、第１及び第２の構成要素２０，３０の輪郭（例えば、サイズ及び形状）と合致し又は実質的に合致する。緩衝要素６０ａ’，６０ｂ’，６０ｃ’，６０”は、部分的に又は全体的に、コーティングされ、摩耗の量を抑制する。例えば、緩衝要素６０ａ’，６０ｂ’，６０ｃ’，６０”は、任意の金属炭化物又は窒化物、ＤＬＣ族のメンバー、Ａｌ2Ｏ3、ＺｒＯ2、ＴｉＣ、ＴｉＮ、（Ａ）ＤＬＣ、ＣｒＮ、ＣｒＣなどが含まれる。［外科的技術］
【００３６】
第１、第２、及び第３の好ましい実施形態による椎間関節の干渉ねじ１０，１０’，１０”は、当業者に公知の任意の外科的技術によって挿入される。椎間関節の干渉ねじ１０，１０’，１０”は、経皮的に挿入され、これは、２００５年５月１０に出願された、発明の名称を"Articular Facet Interference Screw"とする、米国特許出願第１１／１２６，９７６号（Ｓｙｎｔｈｅｓ（米国）に譲渡され、同出願の全内容をここで参照によって引用する）に開示された椎間関節の干渉ねじの挿入と類似している。
【００３７】
図８を参照すると、使用に際しては、第１、第２、及び第３の好ましい実施形態による椎間関節の干渉ねじ１０，１０’，１０”は、最小限の侵襲性の手順によって、椎間関節ＦＪの中に挿入されている。また、椎間関節の干渉ねじ１０，１０’，１０”は、直視下手術を介して挿入することも想定される。椎間関節の干渉ねじ１０，１０’，１０”を挿入する１つの例示的な方法においては、ガイドワイヤ２００は、経皮的に導入され、隣接する上位及び下位の椎骨Ｖの間にて、椎間関節ＦＪのそれぞれの中に入る。ガイドワイヤ２００の導入は、椎間関節ＦＪの中に任意の手段によって案内され、それらには、限定はしないが、Ｃアーム画像化、ＣＴスキャン、椎間関節ＦＪへの小さい開口アプローチなどが含まれる。ガイドワイヤ２００の位置の対称性を確認した後に、任意的要素である、組織保護スリーブ、カニューレ、開創器、及び／又は、トロカール（図示せず）を、椎間関節ＦＪに案内して、椎間関節ＦＪへの経路を開く。椎間関節の干渉ねじ１０，１０’，１０”は、椎間関節ＦＪの中へ導入され、好ましくは、ガイドワイヤ２００を介して、及び保護スリーブ、カニューレ、開創器、又はトロカールを通して、導入される。その後、椎間関節の干渉ねじ１０，１０’，１０”の向きが、好ましくは、確認され、ガイドワイヤ２００、器具、及び一時的スペーサ４０は（必要ならば）取り外される。必要ならば、緩衝要素６０ａ’，６０ｂ’，６０ｃ’，６０”及び抗回転機構１００ａ，１００ｂは、望ましいならば、第１及び第２の構成要素２０，３０の内面２４，３４の間に挿入される。関節平面Ｒｐの向きを確認するために、一方又は両方の指示具５０，２２５ａが用いられ、特に、椎間関節平面ＦＪp1，ＦＪp2に関して使用される。
【００３８】
当業者にあっては、広い発明的概念から逸脱することなく、上述した実施形態に変更を施すことができることを認識されたい。従って、本発明は開示された特定の実施形態に制限されず、特許請求の範囲によって定義された、本発明の精神及び範囲内に変形例を包含していることを理解されたい。
【図１Ａ】
2011514208.tif 000003
【図１Ｂ】
2011514208.tif 000004
【図２Ａ】
2011514208.tif 000005
【図２Ｂ】
2011514208.tif 000006
【図２Ｃ】
2011514208.tif 000007
【図３Ａ】
2011514208.tif 000008
【図３Ｂ】
2011514208.tif 000009
【図３Ｃ】
2011514208.tif 000010
【図３Ｄ】
2011514208.tif 000011
【図４Ａ】
2011514208.tif 000012
【図４Ｂ】
2011514208.tif 000013
【図５Ａ】
2011514208.tif 000014
【図５Ｂ】
2011514208.tif 000015
【図５Ｃ】
2011514208.tif 000016
【図６Ａ】
2011514208.tif 000017
【図６Ｂ】
2011514208.tif 000018
【図７Ａ】
2011514208.tif 000019
【図７Ｂ】
2011514208.tif 000020
【図８】
2011514208.tif 000021
【図９Ａ】
2011514208.tif 000022
【図９Ｂ】
2011514208.tif 000023
【図９Ｃ】
2011514208.tif 000024
【図９Ｄ】
2011514208.tif 000025
【手続補正書】
【提出日】平成22年9月7日(2010.9.7)
【手続補正１】
【補正対象書類名】特許請求の範囲
【補正対象項目名】全文
【補正方法】変更
【補正の内容】
【特許請求の範囲】
【請求項１】
椎間関節の干渉ねじであって、上位椎骨における下位椎間関節突起と、下位椎骨における上位椎間関節突起との間の椎間関節に挿入され、この椎間関節の干渉ねじが、
第１の構成要素であって、第１の外側の半円形である、ねじ付き表面と、第１の内面とを具備している、上記第１の構成要素と、
第２の構成要素であって、第２の外側の半円形である、ねじ付き表面と、第２の内面とを具備し、第１及び第２の構成要素は、頭部部分と、先端部と、頭部部分と先端部との間に延びる長手軸線と、組み立てられた形態において雄ねじ軸部分とを形成し、第１及び第２の内面は、組み立てられた形態において、頭部部分から先端部へ延び、上記第２の構成要素と、
上側内側構成要素であって、第１の構成要素の第１の内面と内面とに接触する外面を有するものと、下側内側構成要素であって、第２の構成要素の第２の内面と内面とに接触する外面を有するものとを備え、上側及び下側の内側構成要素における内面は、屈曲して、互いに接触し、上側内側構成要素は、下側内側構成要素に対して関節動作可能である、上記各構成要素と、
を備えていることを特徴とするねじ。
【請求項２】
第１及び第２の内面は、一般的に、平行になっていることを特徴とする請求項１に記載のねじ。
【請求項３】
椎間関節の干渉ねじにおける第１及び第２の構成要素の内面が屈曲していることを特徴とする請求項１に記載のねじ。
【請求項４】
第１及び第２の構成要素のうち少なくとも１つにおける内面が、案内機構を具備していることを特徴とする請求項１に記載のねじ。
【請求項５】
屈曲した接触面は、球体形状であることを特徴とする請求項１に記載のねじ。
【請求項６】
上側及び下側の内側構成要素は、第１及び第２の構成要素の輪郭と合致する輪郭を有していることを特徴とする請求項１に記載のねじ。
【請求項７】
前記ねじが、さらに
椎間関節の干渉ねじにおける関節平面に整列された頭部に設けられた指示具、
を備えていることを特徴とする請求項１に記載のねじ。
【請求項８】
第１の椎間関節の干渉ねじと第２の椎間関節の干渉ねじとを挿入する方法であって、それぞれが、雄ねじ表面と第１の内面とを有する第１の構成要素と、雄ねじ表面と第２の内面とを有する第２の構成要素とを具備し、この方法が、
（ａ）  第１及び第２の構成要素における第１及び第２の内面の間に、一時的スペーサを挿入する段階と、
（ｂ）  隣接する上位及び下位の椎骨の間の椎間関節の中に、少なくとも部分的にガイドワイヤを挿入する段階と、
（ｃ）  第１及び第２の干渉ねじをガイドワイヤで降ろすように案内する段階であって、第１及び第２の干渉ねじにおける先端部が椎間関節に隣接して配置される上記段階と、
（ｄ）  第１及び第２の椎間関節の干渉ねじを、同時に、それぞれの椎間関節に、椎間関節の骨に頭部が接触するまで、ねじ込む段階と、
（ｅ）  ガイドワイヤを取り外す段階であって、これにより、第１及び第２の構成要素における第１及び第２の内面の間から、ガイドワイヤを接触させて一時的スペーサを取り外す上記段階と、
を備えていることを特徴とする方法。
【請求項９】
前記方法が、さらに、
（ｆ）  段階（ｄ）の後に、第１及び第２の内面の間に緩衝要素を挿入する段階、
を備えていることを特徴とする請求項８に記載の方法。
【請求項１０】
前記方法が、さらに、
（ｆ）  椎間関節における椎間関節平面に対して、第１及び第２の干渉ねじの頭部に指示具を整列させる段階、
を備えていることを特徴とする請求項８に記載の方法。
【国際調査報告】
2011514208.tif 000026
2011514208.tif 000027
2011514208.tif 000028
2011514208.tif 000029